(57)【要約】【課題】  冷却シートに高含水率で粘着性の低い含水ゲルを用い、高い冷却効果が長い時間維持できるようにすると共に、この冷却シートを身体の貼付部位に簡単に剥がれないようにして充分に貼付できるようにする。【解決手段】  冷却シート１０における保持シート１１の片面に非水溶性の粘着剤１２を塗布する一方、この保持シートの反対側の面に高含水率で粘着性の低い含水ゲルｇからなるゲル層１４を形成すると共に、上記の含水ゲルを保持シート内に充填させて、ゲル層を保持シートに保持させた。【選択図】  図１
0003115301.tif 000002
【実用新案登録請求の範囲】
【請求項１】
保持シートの片面に非水溶性の粘着剤が塗布される一方、この保持シートの反対側の面に高含水率で粘着性の低い含水ゲルからなるゲル層が形成されると共に上記の含水ゲルが保持シート内に充填されて、上記のゲル層が保持シートに保持されてなることを特徴とする冷却シート。
【請求項２】
請求項１に記載した冷却シートにおいて、上記の含水ゲルにおける含水率が６５重量％以上であることを特徴とする冷却シート。
【請求項３】
請求項１又は請求項２に記載した冷却シートにおいて、上記の保持シートが繊維構造物で構成されていることを特徴とする冷却シート。
【請求項４】
請求項１〜請求項３の何れか１項に記載した冷却シートにおいて、上記の保持シートが伸縮性を有していることを特徴とする冷却シート。
【請求項５】
容器体に設けられた収容凹部内の底面側に、非水溶性の粘着剤が塗布されて離型紙が取り付けられた保持シートの面が位置するようにセットされ、上記の保持シートの反対側の面に高含水率で粘着性の低い含水ゲルからなるゲル層が形成されると共に上記の含水ゲルが保持シート内に充填されて、上記の収容凹部内に上記の請求項１〜３の何れか１項に記載した冷却シートが収容され、この収容凹部上面の開口部が閉塞部材によって閉塞されていることを特徴とする携帯用冷却シート。
【考案の詳細な説明】
【技術分野】
【０００１】
この考案は、冷却シート及び携帯用冷却シートに係り、特に、冷却シートにより高い冷却効果が長い時間維持されるようにすると共に、この冷却シートが身体の貼付部位から簡単に剥がれないようにして充分に貼付できるようにした点に特徴を有するものである。
【背景技術】
【０００２】
近年、発熱時や炎症部位等の冷却、また皮膚の保湿やリフレッシュ等を目的として冷却シートが用いられている。
【０００３】
そして、このような冷却シートとしては、一般に、オレフィン系の不織布等にポリアクリル酸等の水溶性高分子に水を保有させた粘着性の含水ゲルを付与したものが使用されている。
【０００４】
ここで、上記のような粘着性の含水ゲルを付与した冷却シートにおいて、上記の粘着性の含水ゲルの部分を身体の貼付部位に貼付させた場合に、この粘着性の含水ゲルにより冷却シートが貼付部位に充分に貼付されて、貼付部位から簡単に外れるということはなかった。
【０００５】
しかし、上記のような粘着性の含水ゲルの場合、一般に含水率が低くて、高い冷却効果を長い時間維持させることはできないという問題があった。
【０００６】
一方、上記のような含水ゲルにおける含水率を多くして冷却効果を高めるようにした場合、この含水ゲルにおける粘着性が大きく低下して、貼付部位に対する冷却シートの付着力が低下し、冷却シートが貼付部位から簡単に外れるという問題があった。
【０００７】
このため、近年においては、片面に粘着剤が塗布された不織布の繊維層中に、水分が９０重量％以上の水溶性高分子材料のゲルを含浸させた冷却シートが提案されている（例えば、特許文献１参照。）。
【０００８】
しかし、上記の冷却シートのように、上記のような水溶性高分子材料のゲルを不織布の繊維層中に含浸させる場合、繊維層中に含浸させることができるゲルの量には限界があり、依然として、高い冷却効果を長い時間維持させることは困難であった。
【特許文献１】特開２００２−２４８１２１号公報
【考案の開示】
【考案が解決しようとする課題】
【０００９】
この考案は、冷却シートにおける上記のような問題を解決することを課題とするものであり、冷却シートに高含水率で粘着性の低い含水ゲルを用いて高い冷却効果が長い時間維持できるようにすると共に、この冷却シートが身体の貼付部位から簡単に剥がれないようにして充分に貼付できるようにし、またこの冷却シートを長く保存できると共に、簡単に持ち運びできるようすることを課題とするものである。
【課題を解決するための手段】
【００１０】
この考案における冷却シートにおいては、上記のような課題を解決するため、保持シートの片面に非水溶性の粘着剤を塗布する一方、この保持シートの反対側の面に高含水率で粘着性の低い含水ゲルからなるゲル層を形成すると共に上記の含水ゲルを保持シート内に充填させて、上記のゲル層を保持シートに保持させるようにした。
【００１１】
ここで、上記の含水ゲルとしては、高い冷却効果が長時間得られるようにするため、その含水率が６５重量％以上であることが好ましく、より好ましくは含水率が９０重量％以上のものを用いるようにする。なお、含水率の上限については、特に限定されないが、上記の含水ゲルの保形性の点からは９９重量％程度が限界になると考えられる。
【００１２】
そして、このような含水ゲルを得るにあたっては、保水性が高く、保形性にも優れた水溶性高分子を用いるようにし、この水溶性高分子は合成及び天然の何れであってもよいが、特に、保水性及び保形性に優れている天然の水溶性高分子を用いることが好ましく、例えば、カラギーナン、ゼラチン、ペクチン、ローカストビーンガム、キサンタンガム、ジェランガム、アーネストガム、アガロース、デキストリン、グルコマンナン、ポリグルタミン酸及びその塩等を用いることができる。また、これらの天然高分子に合成高分子を混合して用いることもでき、好適な合成高分子としては、例えば、ポリアクリル酸、ポリアクリル酸ナトリウム、カルボキシビニルポリマー、ポリビニルアルコール、ポリビニルピロリドン、カルボキシメチルセルロース、アーネストガム、メチルセルロース、ヒドロキシプロピルセルロース、ヒドロキシプロピルメチルセルロースが挙げられるが、特にこれらに限定されるものでもない。
【００１３】
また、上記の保持シートは、上記の含水ゲルが浸透して充填され、上記のゲル層が充分に保持されるものであればよく、例えば、各種の繊維を用いた不織布，織布等の繊維体や紙等の繊維構造物を用いることができ、特に、この保持シートにも水分が保持されるように、吸水性の親水性の繊維構造物を用いることが好ましい。
【００１４】
また、上記の冷却シートにおいて、保持シートの片面に塗布させる非水溶性の粘着剤としては、例えば、アクリル系粘着剤、ゴム系粘着剤、ビニルエーテル系粘着剤等の各種の非水溶性粘着剤を用いることができる。
【００１５】
ここで、上記のアクリル系粘着剤としては、下記の主モノマーと副モノマーとを組み合わせたものが挙げられる。主モノマーとしては、アクリル酸エチル、アクリル酸ブチル、アクリル酸２−エチルヘキシル、アクリル酸オクチル、アクリル酸イソオクチル、アクリル酸デシル、メタアクリル酸デシル、アクリル酸ドデシル、メタアクリル酸ドデシル等が挙げられる。また、副モノマーとしては、アクリル酸、酢酸ビニル、アクリル酸メチル、メタアクリル酸メチル、無水マレイン酸、アクリル酸２−ヒドロキシエチル等が挙げられる。
【００１６】
また、ゴム系粘着剤としては、下記のエラストマーと粘着付与剤とを組み合わせものが挙げられる。エラストマーとしては、天然ゴム、合成ポリイソプレンゴム、スチレン・ブタジエンゴム、スチレン・イソプレンブロック共重合体、ポリイソブチレン、ブチルゴム、ＳＩＳ、ＳＢＲ、ＳＢＲＳ等が挙げられる。また、粘着付与剤としては、ロジン、水添ロジン、ロジンエステル、水添ロジンエステル、ポリテルペン、テルペンフェノール、フェノール樹脂、キシレン樹脂、クマロンインデン樹脂、その他脂肪族系樹脂（Ｃ５系樹脂）、石油系樹脂、脂環式炭化水素樹脂（水添芳香族系樹脂）等が挙げられる。
【００１７】
また、上記の粘着剤には、必要に応じて、軟化剤（可塑剤）、吸収促進剤、多価アルコール類、シリコーン油類、無機充填剤、酸化防止剤（紫外線吸収剤）等を添加させることができる。
【００１８】
ここで、上記の軟化剤（可塑剤）としては、ポリブテン、ポリイソブチレン、ジオクチルフタレート、ジブチルフタレート、ジエチルフタレート、液状ロジンエステル、塩素化パラフィン、プロセスオイル、ラノリン、ＩＰＭ、シリコーン、ワセリン、固形パラフィン、流動パラフィン、プラステイペース、ミツロウ、メントール、リモネン、ピネン、ピペリトン、テルピノール、カルベオール、アーモンド油、オリーブ油、ツバキ油、パーシック油、ハッカ油、ゴマ油、ダイズ油、ミンク油、綿実油、トウモロコシ油、サフラワー油、ブドウ油、マカデミアナッツ油、卵黄油、紅花油等が挙げられる。
【００１９】
また、上記の吸収促進剤は、薬用成分や化粧成分等の有効成分の吸収を促進するものであり、上記の軟化剤と重複するものが多く、ラノリン、流動パラフィン、ミツロウ、メントール、リモネン、ピネン、ピペリトン、テルピノール、カルベオール、ホホバ油、アーモンド油、オリーブ油、ツバキ油、パーシック油、ハッカ油、ゴマ油、ダイズ油、ミンク油、綿実油、トウモロコシ油、サフラワー油、ブドウ油、マカデミアナッツ油、卵黄油、紅花油等が挙げられる。
【００２０】
また、上記の多価アルコール類としては、グリセリン、プロピレングリコール、オクタンジオール、ポリエチレングリコール、Ｄ−ソルビット、クロタミトン等が挙げられる。
【００２１】
また、上記のシリコーン油としては、メチルシロキサン、メチルフェニルポリシロキサン、ドデカメチルポリシロキサン等が挙げられる。
【００２２】
また、上記の無機充填剤としては、酸化亜鉛、酸化チタン、炭酸カルシウム等が挙げられる。
【００２３】
また、上記の酸化防止剤（紫外線吸収剤）としては、ＢＨＴ、ＤＴＢＨＱ等が挙げられる。
【００２４】
また、このような非水溶性の粘着剤を保持シートの片面に塗布するにあたり、その厚みが厚くなりすぎると、水分による冷却効果がこの非水溶性の粘着剤を通して貼付部位に伝わるのが抑制されて、充分な冷却効果が得られなくなる一方、その厚みが薄くなりすぎると、冷却シートが貼付部位から剥がれやすくなるため、保持シートの片面に塗布する非水溶性の粘着剤の厚みを適切に設定することが必要であり、好ましくは３０〜３００μｍ、より好ましくは４０〜１５０μｍの範囲になるようにする。
【００２５】
また、このように非水溶性の粘着剤を保持シートの片面に塗布して粘着剤層を設けるようにした場合、保持シートの表面性状や塗布する粘着剤の厚さとの関係で、この粘着剤が保持シートの片面全面に塗布されて、粘着剤層が全面に形成される場合の他に、粘着剤が保持シートの片面全面に塗布されずに、多孔性等の部分的に粘着剤が存在しない粘着剤層が形成される場合もあり、これらの何れの場合であってもよい。
【００２６】
また、水溶性高分子の微粉末や非水溶性の親水性高分子からなる短繊維を混合させた非水溶性の粘着剤を保持シートに塗布して粘着剤層を形成した後、これを浸水処理し、上記の水溶性高分子の微粉末を溶出させて多孔性の粘着剤層を形成するようにしたり、上記の粘着剤層に含まれる非水溶性の親水性高分子からなる短繊維に水分を含浸させると共に、この短繊維を通して上記のゲル層に含有される水分が貼付部位に導かれるようにすることも可能である。
【００２７】
また、この考案における携帯用冷却シートにおいては、非水溶性の粘着剤が塗布されて離型紙が取り付けられた保持シートの面が、容器体に設けられた収容凹部内の底面側に位置するようにセットし、上記の保持シートの反対側の面に高含水率で粘着性の低い含水ゲルからなるゲル層を形成すると共に、上記の含水ゲルを保持シート内に充填させて、上記の収容凹部内に上記の冷却シートを収容させ、この収容凹部上面の開口部を閉塞部材によって閉塞させるようにした。
【考案の効果】
【００２８】
この考案における冷却シートにおいては、上記のように保持シートの片面に非水溶性の粘着剤を塗布する一方、この保持シートの反対側の面に高含水率で粘着性の低い含水ゲルからなるゲル層を形成すると共に上記の含水ゲルを保持シート内に充填させて、上記のゲル層を保持シートに保持させるようにしたため、この冷却シートを上記の非水溶性の粘着剤によって身体の貼付部位に貼付させた場合、上記の高含水率のゲル層に含まれる水分が保持シートを通して非水溶性の粘着剤に浸透し、水分による冷却効果が貼付部位に伝わって高い冷却効果が長時間得られるようになる。
【００２９】
また、この考案における冷却シートにおいては、上記の非水溶性の粘着剤によって冷却シートが身体の貼付部位に充分に貼着されるようになると共に上記のゲル層が保持シートに充分に保持されるようになり、ゲル層が保持シートから外れたり、冷却シートが貼付部位から簡単に外れたりするということもなくなる。
【００３０】
また、この考案における携帯用冷却シートのように、非水溶性の粘着剤が塗布されて離型紙が取り付けられた保持シートの面が容器体に設けられた収容凹部内の底面側に位置するようにセットし、上記の保持シートの反対側の面に高含水率で粘着性の低い含水ゲルからなるゲル層を形成すると共に、上記の含水ゲルを保持シート内に充填させて、上記の収容凹部内に上記の冷却シートを収容させ、この収容凹部上面の開口部を閉塞部材によって閉塞させるようにすると、上記の冷却シートの製造と合わせて、この携帯用冷却シートを製造できるようになる。
【００３１】
また、上記のように保持シートに塗布された非水溶性の粘着剤に離型紙を取り付けた状態で、この冷却シートを容器体に設けられた収容凹部内に収容させるため、冷却シートのゲル層から水が離水しても、この水が非水溶性の粘着剤に接触し続けて、非水溶性の粘着剤の粘着性が低下するのも防止される。
【００３２】
また、上記のように冷却シートを収容させた収容凹部上面の開口部を閉塞部材によって閉塞させるようにしたため、冷却シートのゲル層から水分が漏れ出したり蒸発したりするのが防止され、容器体に設けられた収容凹部内に収容させた状態で、冷却シートを長く保存することができると共に、簡単に持ち運びできるようになる。
【考案を実施するための最良の形態】
【００３３】
以下、この考案の実施形態に係る冷却シート及び携帯用冷却シートを添付図面に基づいて具体的に説明する。なお、この考案に係る冷却シート及び携帯用冷却シートは、特に下記の実施形態に示したものに限定されるものではなく、その要旨を変更しない範囲において適宜変更して実施できるものである。
【００３４】
この実施形態に係る冷却シート１０においては、図１に示すように、親水性の繊維を用いた不織布，織布等の繊維構造物からなる保持シート１１の片面に非水溶性の粘着剤１２を塗布し、この非水溶性の粘着剤１２に離型紙１３を取り付けている。一方、上記の非水溶性の粘着剤１２と反対側における保持シート１１の面に高含水率で粘着性の低い含水ゲルｇからなるゲル層１４を形成すると共に、この高含水率で粘着性の低い含水ゲルｇを上記の保持シート１１内に浸透させて充填させて、上記のゲル層１４を保持シート１１に保持させるようにしている。
【００３５】
そして、この冷却シート１０を使用するにあたっては、非水溶性の粘着剤１２に取り付けられた離型紙１３を剥離させ、この非水溶性の粘着剤１２を身体の貼付部位に貼付させる。
【００３６】
このようにすると、上記のように高含水率のゲル層１４に含まれる水分が保持シート１１を通して非水溶性の粘着剤１２に浸透し、この非水溶性の粘着剤１２を介して水分による冷却効果が貼付部位に伝わり、高い冷却効果が長時間得られるようになる。
【００３７】
また、この冷却シート１０が上記の非水溶性の粘着剤１２によって貼付部位に適切に貼着されると共に、上記のゲル層１４が保持シート１１に充分に保持されるようになり、ゲル層１４が保持シート１１から外れたり、冷却シート１０が貼付部位から簡単に外れるということもなくなる。
【００３８】
なお、このように冷却シート１０を身体の貼付部位に貼付させた場合において、上記の高含水率のゲル層１４が衣類などに接触して、このゲル層１４に含まれる水分によって衣類など濡れるのを防止するため、保持シート１１と反対側におけるゲル層１４の面に不織布などを設けることも可能である。
【００３９】
ここで、上記の冷却シート１０の平面形状は特に限定されず、この冷却シート１０を貼付させる貼付部位等に応じて適宜変更させることができる。特に、この冷却シート１０を首に貼付させる場合においては、その平面形状が、図２に示すように、中央部１０ａがくびれて両側の側部１０ｂが広くなった略瓢箪形状になったものを用いると、首をねじった場合においても、この冷却シート１０が簡単に外れるのが防止されると共に、広くなった両側の側部１０ｂの部分がそれぞれけい動脈の部分を覆うようにして貼付させると、急な発熱時等において、充分な冷却効果が得られるようになる。
【００４０】
また、図示していないが、この冷却シート１０を長尺状に形成し、腕や足などの炎症部位に巻き付けるようにして貼付させることもできる。このように冷却シート１０を巻き付けるようにして貼付させると、腕や足などの可動部位の運動性をあまり損なうことなく、簡単に外れないようにして強固に貼付させることができるようになる。なお、このように腕や足などの可動部位に冷却シート１０を巻き付けるようにして貼付させる場合、その運動性をさらに損なわないようにするため、上記の保持シート１１に伸縮性を有するものを用いることが好ましい。
【００４１】
また、上記の含水ゲルｇにアロマオイルや薬理活性物質を含有させ、この冷却シート１０からこれらの物質が身体の貼付部位に徐々に伝わって、保冷・保湿効果と共にこれらの物質による効果が得られるようにすることもできる。
【００４２】
ここで、上記のアロマオイルとしては、一般にアロマテラピーに用いられる精油成分（精油類）をそのまま用いることができる。この精油成分としては、例えばワンダー・セラー著「アロマテラピーのための８４の精油成分」、フレグランスジャーナル社に記載されているものが挙げられる。具体的には、アニス、アンジェリカ、安息香、イモーテル、カモミール、ガーリック、カルダモン、ガルバナム、キャラウェイ、キャロットシード、グアヤックウッド、グレープフルーツ、サイブレス、シダーウッド、スターアニス、セージ、ゼラニウム、セロリ、タイム、タラゴン、テレピン、乳香、バイオレット、パイン、パセリ、フェンネル、ブラックペッパ、ボダイジュ花、レモン、レモングラス、ローズマリー、ローレル、シモツケギク、シモツケソウ、ヤグルマギク、アーモンド、アルニカ、ウイキョウ、エニシダ、クレソン、ゲンチアナ、ショウノウ、スモモ、セイヨウナシ、タイソウ、タンポポ、チモ、チョレイ、トウガシ、ノイバラ、ハッカ、トネリコ、ブクリョウ、メリッサ、モモ、ヤドリギ、ユーカリ、ヨクイニン、ラベンダ、レンギョウ等からの抽出物を挙げることができるが、別段これらに限定されない。また、その他の油成分としては、流動パラフィン、シリコーンオイル、ココナッツオイル、マカデミアオイル、スクラワン、オリーブオイル、オレンジオイル、ホホバオイル等を挙げることができる。
【００４３】
また、薬理活性物質としては、上記のアロマオイルと重なってもよく、例えばメントール、カンフル、インドメタシン、ケトプロフェン、ジクロフェナック、オオバクエキス、グリチルリチン酸ジカリウム、ヒアルロン酸、アルブチン、酢酸トコフェロール、アラントイン、ビタミンＣ類、水溶性アズレン、アクリノール等が挙げられる。
【００４４】
また、上記のもの以外に、ビタミンＡ，Ｂ，Ｃ，Ｅ等のビタミン類、セレニウム，亜鉛等のミネラル類、リンゴ，オレンジ，レモン，キウイ等の果実エキスや果汁等を適宜含有させることもできる。
【００４５】
次に、上記のような冷却シート１０を容器体２０の収容凹部２１内に収容させた携帯用冷却シート１を製造する方法について説明する。
【００４６】
先ず、上記のように保持シート１１の片面に非水溶性の粘着剤１２を塗布し、この非水溶性の粘着剤１２に離型紙１３を取り付けた状態で、図３（Ａ）に示すように、上記の離型紙１３を下にしてこの保持シート１１を容器体２０の収容凹部２１内に収容させる。その後、上記の容器体２０の収容凹部２１内にゲル溶液を供給して、図３（Ｂ）に示すように、非水溶性の粘着剤１２と反対側における保持シート１１の面に高含水率で粘着性の低い含水ゲルｇからなるゲル層１４を形成すると共に、上記のゲル溶液を保持シート１１内に浸透させて、高含水率で粘着性の低い含水ゲルｇをこの保持シート１１内にも充填させ、この状態で上記の容器体２０の上面に気密性シートからなる閉塞部材３０を取り付けて、上記の収容凹部２１の上面を閉塞させるようにする。
【００４７】
このようにすると、上記のような冷却シート１０の製造と合わせて、この冷却シート１０を容器体２０の収容凹部２１内に収容させた携帯用冷却シート１を製造できるようになる。
【００４８】
そして、この携帯用冷却シート１において、上記の冷却シート１０を使用するにあたっては、容器体２０の上面から上記の気密性シート３０を取り外して、この冷却シート１０を収容凹部２１内から取り出し、上記のように非水溶性の粘着剤１２から離型紙１３を剥離させ、この非水溶性の粘着剤１２を身体の貼付部位に貼付させるようにする。
【図面の簡単な説明】
【００４９】
【図１】この考案の一実施形態に係る冷却シートを示した概略断面図である。
【図２】上記の実施形態に係る冷却シートを首に貼付させるのに適した平面形状の例を示した概略平面図である。
【図３】上記の実施形態に係る冷却シートを容器体の収容凹部内に収容させた携帯用冷却シートを製造する工程を示した断面説明図である。
【符号の説明】
【００５０】
１  携帯用冷却シート
１０  冷却シート
１０ａ  中央部
１０ｂ  側部
１１  保持シート
１２  非水溶性の粘着剤
１３  離型紙
１４  ゲル層
２０  容器体
２１  収容凹部
３０  閉塞部材
ｇ  含水ゲル
【図１】
0003115301.tif 000003
【図２】
0003115301.tif 000004
【図３】
0003115301.tif 000005